(57)【要約】【課題】設置される現場の状況に係わらず、電装箱のメンテナンススペースを十分に確保することができるビルトイン型空気調和機を提供する。【解決手段】建屋の天井部に設置され、熱交換器１及びファン２を収容したユニット本体３５と、このユニット本体３５の外面に取り付けられた電装箱３７とを備えたビルトイン型空気調和機において、ユニット本体３５の隣接する側面３８Ａ，３８Ｂにそれぞれ開口予定部１００Ａ，１００Ｂを備え、これら開口予定部１００Ａ，１００Ｂのいずれかに電装箱３７を選択的に取り付け可能に構成したものである。【選択図】      図２
2004170039.tif 000002
【特許請求の範囲】
【請求項１】
建屋の天井部に設置され、熱交換器及びファンを収容したユニット本体と、このユニット本体の外面に取り付けられた電装箱とを備えたビルトイン型空気調和機において、
上記ユニット本体の隣接する側面にそれぞれ開口予定部を備え、これら開口予定部のいずれかに上記電装箱を選択的に取り付け可能に構成したことを特徴とするビルトイン型空気調和機。
【請求項２】
いずれの開口予定部に電装箱が取り付けられても、当該電装箱とファンモータとの距離がほぼ等しくなるように設定されることを特徴とする請求項１記載のビルトイン型空気調和機。
【請求項３】
いずれの開口予定部に電装箱が取り付けられても、電装箱に接続されるべき配線がいずれの電装箱にも届くように設定されていることを特徴とする請求項１又は２記載のビルトイン型空気調和機。
【請求項４】
上記電装箱の取り付けられない上記開口予定部を閉鎖するための蓋を備えたことを特徴とする請求項１乃至３のいずれかに記載のビルトイン型空気調和機。
【発明の詳細な説明】
【０００１】
【発明の属する技術分野】
本発明は、建屋の天井部に設置され、内部に熱交換器およびファンを備え、熱交換された空気を吹き出しダクトを介して被調和室へ導き吹き出させるビルトイン型空気調和機に関する。
【０００２】
【従来の技術】
一般に、建屋の天井空間に設置され、室内熱交換器およびファンを収容したユニット本体に、吹出ダクトが延設されると共に電装箱が設けられたビルトイン型空気調和機が知られている。このようなビルトイン型空気調和機では、ユニット本体にて熱交換された空気を、吹出ダクトを介して室内の適宜位置へ導き室内に吹き出すことができるので、室内の美観を損なうことなく最適な空気調和を実現できる（例えば、特許文献１参照）。
【０００３】
【特許文献１】
特開２０００−２４９３６４号公報
【０００４】
【発明が解決しようとする課題】
従来、この種のビルトイン型空気調和機を、ビジネスホテル等の狭隘な天井空間に設置する場合、設置される現場の状況によっては、上記電装箱のメンテナンススペースを確保できなくなる恐れがある。
【０００５】
そこで、本発明の目的は、上述した従来の技術が有する課題を解消し、設置される現場の状況に係わらず、電装箱のメンテナンススペースを十分に確保することができるビルトイン型空気調和機を提供することにある。
【０００６】
【課題を解決するための手段】
請求項１記載の発明は、建屋の天井部に設置され、熱交換器及びファンを収容したユニット本体と、このユニット本体の外面に取り付けられた電装箱とを備えたビルトイン型空気調和機において、上記ユニット本体の隣接する側面にそれぞれ開口予定部を備え、これら開口予定部のいずれかに上記電装箱を選択的に取り付け可能に構成したことを特徴とする。
【０００７】
請求項２記載の発明は、請求項１記載のものにおいて、いずれの開口予定部に電装箱が取り付けられても、当該電装箱とファンモータとの距離がほぼ等しくなるように設定されることを特徴とする
請求項３記載の発明は、請求項１又は２記載のものにおいて、いずれの開口予定部に電装箱が取り付けられても、電装箱に接続されるべき配線がいずれの電装箱にも届くように設定されていることを特徴とする。
【０００８】
請求項４記載の発明は、請求項１乃至３のいずれかに記載のものにおいて、上記電装箱の取り付けられない上記開口予定部を閉鎖するための蓋を備えたことを特徴とする。
【０００９】
【発明の実施の形態】
以下、本発明の一実施形態を、図面に基づき説明する。
【００１０】
図１は、本発明に係るビルトイン型空気調和機の一実施形態を示している。３０はビルトイン型空気調和機を示し、このビルトイン型空気調和機３０は、建屋３１の天井３２と天井板３３との間の天井空間３４内に懸吊して配設され、ユニット本体３５、吸込ダクト３６、吹出ダクト５０及び運転制御用の電装箱３７を有して構成されている。
【００１１】
上記ユニット本体３５は、互いに対向配置されて四角枠形状に設けられた４枚の側板３８の上縁部に天板３９が、下縁部の一部に底板４６がそれぞれ固定されて構成される。これらの側板３８、天板３９及び底板４６の内外表面に断熱材が貼着されている。このユニット本体３５の側板３８には吊り金具４１が固着され、この吊り金具４１が、建屋３１の天井３２から垂下された吊りボルト４２に止着されて、このビルトイン型空気調和機３０が、建屋３１の天井３２に懸吊可能に構成されている。
【００１２】
このユニット本体３５の内部には、図２に示すように、室内熱交換器１、ファン２およびファンモータ３が収容されている。４は仕切り板である。上記室内熱交換器１には、冷媒配管接続口４３に接続された冷媒配管（液管）、及び冷媒配管接続口４４に接続された冷媒配管（ガス管）が接続され、これら配管を用いて、図示しない室外機に接続される。室内熱交換器１は、ユニット本体３５内に吸い込まれた空気を冷却し又は加熱する。
【００１３】
上記吸込ダクト３６は、吊りボルト４０で支持され、通常、複数本がユニット本体３５から延設されている。吸込ダクト３６は、ユニット本体３５の一つの側板３８に一体に設置されたフィルタチャンバ４７に一端が嵌装され、他端に吸込グリル４８が取付けられる。この吸込グリル４８は、天井板３３の適宜位置に設置される。吹出ダクト５０は、上述した吸込ダクト３６と同様に、吊りボルト４０で支持され、一端が吹出グリル５１に接続され、他端がユニット本体３５の吹出口４９に接続されている。ユニット本体３５内のファンが駆動されると、吸込グリル４８、吸込ダクト３６を介して、ユニット本体３５内に空気が吸い込まれ、室内熱交換器１により熱交換された空気が、吹出ダクト５０を経て、吹出グリル５１から室内へ吹き出される。
【００１４】
上記電装箱３７は、図１に示すように、ユニット本体３５の側板３８のうち、吸込ダクト３６及び吹出ダクト５０が配設されていない側板３８Ａに取付けられる。この電装箱３７は、ほぼ直方体形状を呈し、その内部に、図示を省略した制御基板、及び端子板等を備えて構成される。ユニット本体３５内に設置されたファンモータ、ドレンポンプ、フロートスイッチ、電子制御弁、各種センサ等からの配線が、上記制御基板、又は端子板に接続される。
【００１５】
このビルトイン型空気調和機３０では、図２に示すように、電装箱３７間近の天井板３３に、メンテナンス開口５があけられ、ここには蓋５Ａ（図１）が設置され、この蓋５Ａをあけて、作業員が天井裏に侵入して、例えば、電装箱３７がメンテナンスされる。
【００１６】
図３及び図４は、ビジネスホテル等の平面図である。図３において、この建屋は対称形のＡ室、Ｂ室を備えて構成される。各部屋Ａ，Ｂには、トイレ、風呂、ベッド等が配置されている。各部屋Ａ，Ｂにおいて、１００で示す空間は、天井裏を示す。各部屋Ａ，Ｂの天井裏１００には、それぞれユニット本体３５が配置されている。図３に示すように、電装箱３７に対向して、壁１１が存在する場合、この現場では、メンテナンス開口５から天井裏に侵入したとしても、電装箱３７のメンテナンスは不可能である。
【００１７】
この現場では、図４に示すように、電装箱３７の取り付け位置を、メンテナンス開口５に向かう位置に変更する。
【００１８】
これを実現するため、本実施形態では、図２に示すように、ユニット本体３５の隣接する側面３８Ａ及び背面３８Ｂにそれぞれ開口予定部１００Ａ，１００Ｂが設けられ、現場の状況に応じて、これら開口予定部１００Ａ，１００Ｂのいずれかに上記電装箱３７を選択的に取り付け可能に構成される。
【００１９】
そして、いずれの開口予定部１００Ａ，１００Ｂに、電装箱３７が取り付けられたとしても、当該電装箱３７とファンモータ３との距離がほぼ等しくなるように設定されている。また、いずれの開口予定部１００Ａ，１００Ｂに、電装箱３７が取り付けられたとしても、この電装箱３７に接続されるべき配線、すなわち、ユニット本体３５内に設置されたファンモータ３、ドレンポンプ、フロートスイッチ、電子制御弁、各種センサ等からの配線が、いずれの電装箱３７にも届くように設定されている。
【００２０】
ここで、図２の例では、メンテナンス開口５の位置に対応させて、電装箱３７が、開口予定部１００Ａに取り付けられているが、図４に示す現場では、メンテナンス開口５の位置に対応させて、電装箱３７の取り付け位置が変更されて、背面３８Ｂの開口予定部１００Ｂに取り付けられる。
【００２１】
この背面３８Ｂには、フィルタチャンバ４７が設けられるが、この電装箱３７は、吸込口を避けた位置に取り付けられており、電装箱３７が吸込抵抗となることはない。しかも、この位置に電装箱３７が取り付けられた場合、ファンモータ３を囲うように配置されるため、当該モータの電磁音が外部に漏れることがなく、遮音効果を得ることができる。また、電装箱３７が取り付けられない開口予定部、すなわち、図２の例では、開口予定部１００Ｂに、また、図４に示す現場では、開口予定部１００Ａに、それぞれ当該開口を閉鎖するための蓋（不図示）がねじ等を用いて固定される。
【００２２】
電装箱３７は、工場からの出荷時に、通常、開口予定部１００Ａに取り付けられ、据付現場で、必要に応じて電装箱３７の取り付け位置が変更されて、開口予定部１００Ｂに取り付けられる。
【００２３】
本実施形態では、ユニット本体３５の隣接する側面３８Ａ及び背面３８Ｂに、それぞれ開口予定部１００Ａ，１００Ｂを備え、これら開口予定部１００Ａ，１００Ｂのいずれかに、電装箱３７を選択的に取り付け可能にしたため、現場の状況に応じて、電装箱３７の取り付け位置を変更することができ、電装箱のメンテナンススペースを十分に確保することができる。
【００２４】
いずれの位置に電装箱３７が取り付けられたとしても、この電装箱３７と、ファンモータ３との距離がほぼ等しく離れるため、当該ファンモータ３の放熱性に差が生じることがない。しかも、電装箱３７に接続されるべき配線が、いずれの開口予定部１００Ａ，１００Ｂに取り付けられた電装箱３７に対しても、確実に届くように設定されているため、電装箱３７の取り付け位置の変更によって、配線が困難になることがない。この配線の長さは、いずれの開口予定部１００Ａ，１００Ｂに取り付けられた電装箱３７にも届くだけでなく、届いた場合、あまり余らないことが重要である。
【００２５】
図２の例では、いずれの開口予定部１００Ａ，１００Ｂに、電装箱３７が取り付けられたとしても、当該電装箱３７とファンモータ３との距離がほぼ等しくなり、しかも、電装箱３７に接続されるべき配線が、いずれの電装箱３７にも届くように設定されているが、この条件を満たさない場合、例えば、図４に示すように、ユニット本体３５に対し、取り付け金具１５を固定し、この金具１５に電装箱３７を取り付けて、電装箱３７とファンモータ３との距離を等しくするようにしても良いことは明らかである。
【００２６】
以上、一実施形態に基づいて本発明を説明したが、本発明は、これに限定されるものではない。
【００２７】
【発明の効果】
本発明では、設置される現場の状況に係わらず、電装箱のメンテナンススペースを十分に確保することができる。
【図面の簡単な説明】
【図１】本発明に係るビルトイン型空気調和機の一実施形態を示す側面図である。
【図２】同じく平面図である。
【図３】ビルトイン型空気調和機のレイアウト図である。
【図４】ビルトイン型空気調和機のレイアウト図である。
【符号の説明】
３０  ビルトイン型空気調和機
３５  ユニット本体
３７  電装箱
１００Ａ，１００Ｂ  開口予定部
【図１】
2004170039.tif 000003
【図２】
2004170039.tif 000004
【図３】
2004170039.tif 000005
【図４】
2004170039.tif 000006